(57)【特許請求の範囲】
【請求項１】
中央に丸穴が形成された矩形の平板部、及び該平板部を所定の高さに支持する一対の台座部を有し、コの字形断面をなした基体と、
前記丸穴に挿通され、該平板部から一端が突出したシャフトを押圧したとき他端に固定された吸着部が変形して吸引力を発揮する吸盤と、
前記丸穴から前記一端が脱離するのを阻止する係合部と、を備え、
前記基体は、前記平板部の一端寄りに、巻尺の先端金具を掛止する第１スリットが前記第１台座部と平行に形成され、該平板と平行な面の距離の計測始点に配置されて前記吸盤で固定されることを特徴とする巻尺先端支持具。
【請求項２】
前記基体は、第２台座部に、前記先端金具を掛止する第２スリットが前記平板部と平行に形成され、該平板部と直交する面の距離の計測始点に配置されて前記吸盤で固定されることを特徴とする請求項１記載の巻尺先端支持具。
【請求項３】
前記シャフトは、ねじ山が刻まれたものであり、前記吸着部が吸引力を発揮したときに前記平板部よりも上部側に刻まれたねじ山に前記係合部を螺合させることを特徴とする請求項１記載の巻尺先端支持具。
【請求項４】
前記丸穴よりも前記第２台座部寄りの位置に、該第２台座部と平行な第３台座部が形成されたことを特徴とする請求項２記載の巻尺先端支持具。
【請求項５】
前記第２台座部が当接する位置を始点に定め、前記第１スリットに前記先端金具を掛止して距離を計測するときは、計測された該距離に、第１の数値を加えることを特徴とする請求項２記載の巻尺先端支持具。
【請求項６】
角が面取りされた壁面を始点に定めて距離を計測するときは、前記第１台座部及び前記第３台座部を一方の壁面に当接させ、前記第２台座部を他方の壁面と面一に合わせ、前記第１スリットに前記先端金具を掛止して距離を計測するときは、計測された該距離に、第１の数値を加え、前記第２スリットに前記先端金具を掛止して距離を計測するときは、計測された該距離に、第２の数値を加えることを特徴とする請求項４記載の巻尺先端支持具。
【発明の詳細な説明】
【技術分野】
【０００１】
本発明は、平面を有する構造物上の任意の位置を計測始点として距離を計測する際に、その計測始点に固定し、巻尺の先端を掛着する巻尺先端支持具に関する。
【背景技術】
【０００２】
従来、巻尺で採寸あるいは測距する際は、メジャーテープを持つ人と、目盛りを読む人とが二人係りで行っており、省力化が求められている。
そこで、傾斜面においても安定して設置できるメジャーテープ取付機として、基台上に、水平位置調整部と上下 ・遠近位置調整部を有し、その上下・遠近位置調整部に接続された鉛直方向調整部 にメジャーテープ固定部を有するものが提案されている（特許文献１など参照）。
また、雨樋の配設長の採寸を一人作業で行えるように、巻尺の目盛帯端部を載置する載置板体の一端部に、雨樋端部を挿入して押さえる板バネ片を有する巻尺用治具も提案されている（特許文献２参照）
さらに、上蓋と下蓋と出口とがあり、捩り装置と吸盤とが可動的に連結されて収納された下蓋の収納室に伸縮巻尺が収納され、吸盤を吸着させることにより、伸縮巻尺を片手で操作して測定ができる、吸盤付きの固定式伸縮巻尺が提案されている（特許文献３参照）。
一方、吸盤は、吸着する面に凹凸があったり、曲面になっている場合には吸着が難しいので、吸着する面の凹凸にフィットするように柔軟性を与えようとすると、剥離する際の強度が得られなくなるので、ある程度の剛性が必要である。
そこで、弾性体からなる本体の周縁部のみを、本体よりも柔軟な部材で二重成形して縁の外方向にはみ出しているようにした吸盤が提案されている（特許文献４参照）。
【先行技術文献】
【特許文献】
【０００３】
【特許文献１】特許第３９７７７９３号公報
【特許文献２】特開２００６−６４４７８号公報
【特許文献３】実用新案登録第３１９４５１７号公報
【特許文献２】特開２００６−６４４７８号公報
【発明の概要】
【発明が解決しようとする課題】
【０００４】
建築現場では、様々な場面で、距離や長さを計測する必要があり、上記メジャーテープ固定部のような水平位置調整や上下位置調整を要しない場合が多い上、巻尺用治具を挿入する個所の無い場合が多い。しかしながら、構造物上の任意の個所を始点として距離を計測する場合が多いので、絶えず携行し、1人で計測ができる補助具が必要である。
しかしながら、伸縮巻尺に吸盤をつけて計測地点に固定する方法では、計測始点を正確に定めることができない上に、計測する際に手間がかかる。
本発明は、かかる事情に鑑み、平面を有する構造物上の距離や構造物間の距離を計測する際に、構造物に着脱自在に固定することで計測始点が定まるうえ、巻尺の先端を掛着することにより1人計測が可能になる、小型軽量で、携帯に便利な巻尺先端支持具を提供することを目的とする。
【課題を解決するための手段】
【０００５】
本発明の巻尺先端支持具は、中央に丸穴が形成された矩形の平板部、及び該平板部を所定の高さに支持する一対の台座部を有し、コの字形断面をなした基体と、上記丸穴に挿通され、該平板部から一端が突出したシャフトを押圧したとき他端に固定された吸着部が変形して吸引力を発揮する吸盤と、上記丸穴から上記一端が脱離するのを阻止する係合部と、を備え、上記基体は、上記平板部の一端寄りに、巻尺の先端金具を掛止する第１スリットが上記第１台座部と平行に形成され、該平板と平行な面の距離の計測始点に配置されて上記吸盤で固定されることを特徴とする。
このように構成すれば、台座部で計測始点を定めて、吸盤で固定できるうえ、第１スリットから台座部までの距離は既知であるから、第１スリットに巻尺の先端金具を掛止すれば、計測始点から任意の地点までの距離を一人で計測することができる。
また、上記基体は、第２台座部に、上記先端金具を掛止する第２スリットが上記平板部と平行に形成され、該平板部と直交する面の距離の計測始点に配置されて上記吸盤で固定されることが好ましい。
このようにすれば、第２スリットにも巻尺の先端金具を掛止することができ、第２スリットの高さは既知であるから、計測できる態様が増加する。
また、上記シャフトは、ねじ山が刻まれたものであり、上記吸着部が吸引力を発揮したときに上記平板部よりも上部側に刻まれたねじ山に上記係合部を螺合させることができる。
このようにすれば、シャフトは吸引能力を発揮する位置と、能力を発揮しない位置との間を移動自在である上、丸穴からシャフトが脱離するのを確実に阻止できる。
さらに、上記丸穴よりも上記第２台座部寄りの位置に、該第２台座部と平行な第３台座部が形成されたことが好ましい。
このように、第３台座部を設ければ、角が面取りされた壁面を有する構造物でも、その角を始点として計測することができる。
そして、上記第２台座部が当接する位置を始点に定め、上記第１スリットに上記先端金具を掛止して距離を計測するときは、計測された該距離に、第１の数値を加えることにより計測が可能になる。
また、角が面取りされた壁面を始点に定めて距離を計測するときは、上記第１台座部及び上記第３台座部を一方の壁面に当接させ、上記第２台座部を他方の壁面と面一に合わせ、上記第１スリットに上記先端金具を掛止して距離を計測するときは、計測された該距離に、第１の数値を加え、上記第２スリットに上記先端金具を掛止して距離を計測するときは、計測された該距離に、第２の数値を加えることにより計測が可能になる。
【発明の効果】
【０００６】
本発明の巻尺先端支持具によれば、平面を有する構造物に簡便に取り付けることができ、そこを始点として任意の地点までの距離を一人で正確に計測することができる。
【図面の簡単な説明】
【０００７】
【図１】図１は、第１の実施形態の巻尺先端支持具の一例を示す平面図である。
【図２】図２は、第１の実施形態の巻尺先端支持具の一例を示す背面図である。
【図３】図３は、第１の実施形態の巻尺先端支持具の一例を示す正面図である。
【図４】図４は、第１の実施形態の巻尺先端支持具の一例を示す左側面図である。
【図５】図５は、第１の実施形態の巻尺先端支持具の一例を示す右側面図である。
【図６】図６は、直交する壁面を始点として距離を計測する一例を示す図である。
【図７】図７は、壁面の端又は壁面に直交する床面等を始点として距離を計測する他の例を示す図である。
【図８】図８は、通り芯を計測始点とする例を示す図である。
【図９】図９は、第２の実施形態の巻尺先端支持具の一例を示す正面図である。
【図１０】図１０は、第２の実施形態の巻尺先端支持具の一例を示す背面図である。
【図１１】図１１は、角が面取りされた直交する壁面を始点として距離を計測する一例を示す図である。
【発明を実施するための形態】
【０００８】
以下に、本発明の巻尺先端支持具の実施形態を図に基いて説明する。
図１〜図５は、第１の実施形態の巻尺先端支持具の一例を示す図であり、図１は平面図、図２は背面図、図３は正面図、図４は左側面図、図５は右側面図である。
図１〜図５に示す第１の実施形態の巻尺先端支持具１は、矩形の平板部１１、及び一対の台座部１２を有し、コの字形断面をなした基体３と、シャフト２２の他端に吸着部２１が固定された吸盤４と、シャフト２２の一端に係合する係合部５と、を備えている。
基体３は、硬質樹脂で一体成型されている。但し、基体３は、必ずしも樹脂で形成する必要はなく、ステンレス等の金属であっても、木材を加工したものであってもよいが、樹脂で成形すると軽量で、携行するのに便利である。
一対の台座部１２は、同形、同寸の第１台座部１３と第２台座部１４とが平板部１１の両端に、コ字形をなして形成され、平板部１１を所定の高さに支持する。
そして、本実施形態の第２台座部１４には、図４に示すように、平板部１１と平行に、L形金具が取り付けられた巻尺の先端金具を掛止する第２スリット１８が形成されている。
なお、第２スリット１８を設ける位置（高さ）は、予め定められた第２の数値（L２）に設定される。
平板部１１は、中央に、吸盤４のシャフト２２が自在に挿通する丸穴１６を設けてあり、一端寄りで、第１台座部１３の際には、第１スリット１７が第１台座部１３と平行に形成されている。
なお、第１スリット１７から第１台座部１３までの距離は、予め定められた第１の数値（L１）に設定される。
そして、第１スリット１７には、第２スリット１８と同様に、距離を計測する際に、巻尺の先端部のL形金具を掛止させる。
【０００９】
吸着部２１は、シリコンなどの弾性部材によってドーム状に形成された周知の部材で、ガラス、鉄板、ベニヤ板、プラスチック板などに載置してシャフト２２で押圧すると変形してドーム内の空気が抜け、大気圧との気圧差によって載置した物に密着する。
従って、コンクリート面やタイル面等、凹凸がある面の計測を行う場合は、吸着部２１が密着する個所に粘着面を有するテープを貼り、そこに吸着部２１を載置する必要がある。
しかし、ドーム状をなした硬度が高い部分の周縁に、硬度が比較的低い、軟質樹脂を被覆したものを使用すれば、多少、凹凸がある面であっても吸引力を発揮することができる。
シャフト２２は、硬質樹脂で円柱状に形成され、一端が、吸着部２１の中心に接着されて固定され、他端側には、ねじ山２３が刻まれている。そして、平板部１１の丸穴１６に挿通させたときに、他端側のねじ山２３が平板部１１よりも上部に刻まれているように、シャフト２２の長さ、及びネジ山２３が刻まれる位置が設定される。
係合部５は、シャフト２２に刻まれたねじ山２３に螺合する内ねじが刻まれた、例えばナットが用いられる。
シャフト２２が平板部１１から突き出す長さは、吸着部２１が吸引する前後で異なっている。
すなわち、吸着部２１が吸引する前は、図３に示すように平板部１１から突き出す長さは相対的に長いが、吸着部２１が吸引した後は、図４及び図５に示すように平板部１１から突き出す長さは、相対的に短くなっている。従って、係合部５は、吸着部２１が吸引した後に平板部１１から突き出しているねじ山２３に螺合させる必要がある。
本実施形態では、シャフト２２にねじ山２３を刻み、係合部（ナット）５を螺合させてャフト２２が丸穴１６から脱離するのを阻止しているが、ねじ山２３は、必ずしも設ける必要はなく、係合部５がシャフト２２に着脱自在に被さるキャップであってもよい。
【００１０】
本実施形態の吸着部２１は、直径が４０ｍｍ乃至４２ｍｍのものを使用し、シャフト２２は、太さが１０ｍｍ、長さが３０ｍｍに設定されている。また基体３は、平板部１１の長さが１００ｍｍ、幅が５０ｍｍ、厚さが２ｍｍ、一対の台座部１２は幅が５０ｍｍ、高さが１２ｍｍ、厚さが２ｍｍに設定され、第１スリット１７及び第２スリット１８の幅が２ｍｍ、長さが２０ｍｍ、第２スリット１８の高さが５ｍｍに設定されている。また、第２台座部１４から第１スリット１７までの距離L1が９５ｍｍに設定されているが、必ずしもこれらの数値に限定する必要はなく、例えば、基体３は、平板部１１の長さを６０ｍｍに縮小してもよいし、シャフト２２の長さを３０ｍｍよりも長くしてもよい。
【００１１】
図６は、直交する壁面を始点として距離を計測する一例を示す図である。
図６に示すように、本実施形態の巻尺先端支持具１の第２台座部１４を、直交する一方の壁面３１に当接させて計測始点とし、直交する他方の壁面３２に設置した巻尺先端支持具１を、吸盤４のシャフト２２を押圧して吸着部２１の吸引力を発揮させ、直交する他方の壁面３２に固定する。そして、第１スリット１７に巻尺の先端金具を掛止して距離を計測する。この場合、計測された距離に、予め決められた数値、すなわち、第１スリット１７から第２台座部１４までの距離L１を加える。ここでは、L1は９５ｍｍに設定されている。なお、巻尺先端支持具１を外壁に設置し、第２台座部１４を、直交する一方の壁面３１（外壁）に当接させて計測始点とした場合には、第１スリット１７に先端金具を掛止してその壁面３１（外壁）上の距離を計測することができるし、第２スリット１８に先端金具を掛止すれば直交する他方の壁面３２（外壁）上の距離を計測することもできる。
【００１２】
図７は、壁面の端又は壁面に直交する床面等を始点として距離を計測する他の例を示す図である。
図７に示すように、本実施形態の巻尺先端支持具１の第２台座部１４を床面３４に当接させて計測始点とするか、又は壁面３５の端に第２台座部１４を当接させて計測始点とし、巻尺先端支持具１を、吸盤４の吸引力で壁面３５に固定する。そして、第１スリット１７に巻尺の先端金具を掛止して距離を計測する。この場合も、計測された距離に、予め決められた数値、すなわち、第１スリット１７から第２台座部１４までの距離L１を加える。
【００１３】
図８は、通り芯を計測始点とする例を示す図である。
図８に示すように、第１台座部１３の際（第１スリットとの境目）を通り芯３３に合わせてもよいし、第２台座部１４を通り芯３３に合わせてもよい。
第２台座部１４を通り芯３３に合わせたときは、図７で示したのと同様に、計測された距離に、第１スリット１７から第２台座部１４までの距離L１を加える。しかし、第１台座部１３の際（第１スリットとの境目）を通り芯３３に合わせたときは、計測された距離に予め決められた数値を加える必要はない。
【００１４】
[第２の実施形態]
第２の実施形態の巻尺先端支持具２は、第１の実施形態の巻尺先端支持具１に較べて、第3台座部１５を有する点が相違するが、それ以外の点は共通する。従って、重複説明を回避するため、相違点について説明する。
図９及び図１０は、第２の実施形態の巻尺先端支持具の一例を示す図であり、図９は正面図、図１０は背面図である。
図９及び図１０に示す第２の実施形態の巻尺先端支持具２は、平板部１１に形成された丸穴１６よりも第２台座部１４寄りの位置に、その第２台座部１４と平行な第３台座部１５が形成されている。
この第３台座部１５は、壁面の角が面取りされている場合などに、第２台座部１４を直交する一方の壁面３１に当接させようとすると、平板部１１が傾斜してしまって、距離の計測が不正確になる場合に有用となる。
その場合、第１台座部１３と第３台座部１５を直交する一方の壁面３１に当接させて平板部１１を水平に保ち、第２台座部１４は、直交する他方の壁面３２と面一にして計測始点を定めることができる。
【００１５】
図１１は、角が面取りされた直交する壁面を始点として距離を計測する一例を示す図である。
図１１に示すように、第２実施形態の巻尺先端支持具２の第１台座部１３と第３台座部１５を直交する一方の壁面３１に当接させて平板部１１を水平に保ち、第２台座部１４が直交する他方の壁面３２と面一になるようにして、吸盤４の吸引力で直交する一方の壁面３１に固定する。
ここでは、第２台座部１４に形成された第２スリット１８に巻尺の先端金具を掛止して直交する他方の壁面３２上の距離を計測する。その場合、計測された距離に、予め決められた数値（L２）、すなわち、第２スリット１４の高さL２を加える。ここでは５ｍｍに設定されている。
なお、第１スリット１７に巻尺の先端金具を掛止して直交する一方の壁面３１上の距離を計測することもできる。
また、第１台座部１３と第３台座部１５を直交する他方の壁面３２に当接させて平板部１１を水平に保ち、第２台座部１４は、直交する一方の壁面３１と面一にして計測始点を定めることもできる。
その場合は、計測された距離に、予め決められた数値L1、ここでは、９５ｍｍを加える。
【産業上の利用可能性】
【００１６】
建造物のみならず、平面を有するものの距離、あるいは平面を有するものと任意の地点との間の距離を測定する場合にも活用できる。
【符号の説明】
【００１７】
１、２  巻尺先端支持具    
３      基体
４      吸盤
５      係合部
１１      平板部
１２      台座部
１３      第１台座部
１４      第２台座部
１５      第３台座部
１６      丸穴
１７      第１スリット
１８      第２スリット
２１      吸着部
２２      シャフト
２３      ねじ山
３１      直交する一方の壁面
３２      直交する他方の壁面
３３      通り芯
３４      床面
３５      壁面    
【要約】      （修正有）【課題】構造物に着脱自在に固定することで計測始点が定まるうえ、巻尺の先端を掛着することにより1人計測が可能になる、小型軽量で、携帯に便利な巻尺先端支持具を提供する。【解決手段】中央に丸穴が、一端寄りに巻尺の先端部を掛着する第１スリットがそれぞれ形成された矩形の平板部１１、及び該平板部を所定の高さに支持する一対の台座部１２を有し、コの字形断面をなした基体３と、丸穴に挿通され、平板部から一端が突出したシャフト２２を押圧したとき他端に固定された吸着部が変形して吸引力を発揮する吸盤４と、丸穴から一端が脱離するのを阻止する係合部５と、を備え、距離の計測始点に配置して吸盤で固定し、先端部を掛着させて計測する。【選択図】図３【図１】
0006888774.tif 000002
【図２】
0006888774.tif 000003
【図３】
0006888774.tif 000004
【図４】
0006888774.tif 000005
【図５】
0006888774.tif 000006
【図６】
0006888774.tif 000007
【図７】
0006888774.tif 000008
【図８】
0006888774.tif 000009
【図９】
0006888774.tif 000010
【図１０】
0006888774.tif 000011
【図１１】
0006888774.tif 000012